(57)【要約】      （修正有）【課題】寸法（サイズ）を抑えながらも、マットレスから外れ難く、洗濯コストの低いベッド用シーツを提供し、また、かかるベッド用シーツでマットレスが覆われたシーツ付きベッドを提供する。【解決手段】ベッド用シーツ１は、幅方向の両側部に第１の面ファスナーが設けられた床板３０を備えるベッド本体１０と、床板３０上に載置され、下面に第１の面ファスナーと係合する第２の面ファスナーが設けられたマットレスとを有するベッドに用いられる。かかるベッド用シーツ１は、その両側部にメッシュ生地で形成された一対のメッシュ生地部を備えており、各メッシュ生地部をベッドの両側部に設けられた第１の面ファスナーと第２の面ファスナーとの間に挟んで用いられる。【選択図】図１
0003188960.tif 000002
【実用新案登録請求の範囲】
【請求項１】
ベッドフレームと該ベッドフレームに支持される長尺状の床板とを備えるベッド本体と、前記床板上に載置されるマットレスとを有し、前記床板の上面には、その両側部の少なくとも一部に長手方向に沿って形成された第１の面ファスナーが設けられ、前記マットレスの下面には、その両側部に前記第１の面ファスナーと係合する第２の面ファスナーが設けられたベッドに用いられるベッド用シーツであって、
当該ベッド用シーツは、その両側部にメッシュ生地で形成された一対のメッシュ部を備えており、前記ベッドの一方の側部側で前記第１の面ファスナーと前記第２の面ファスナーとの間に一方の前記メッシュ部を挟んだ状態で、前記マットレスの上面を覆うようにして前記ベッドの他方の側部側で前記第１の面ファスナーと前記第２の面ファスナーとの間に他方の前記メッシュ部を挟んで用いられることを特徴とするベッド用シーツ。
【請求項２】
前記一対のメッシュ部以外のシーツ生地部領域によって、前記マットレスの両側面および上面が覆われるように構成されている請求項１に記載のベッド用シーツ。
【請求項３】
ベッドフレームと該ベッドフレームに支持される長尺状の床板とを備えるベッド本体と、前記床板上に載置されるマットレスとを有し、前記床板の上面には、一方の側部の少なくとも一部に長手方向に沿って形成された第１の面ファスナーが設けられ、前記マットレスの下面には、前記第１の面ファスナーと係合する第２の面ファスナーが設けられたベッドに用いられるベッド用シーツであって、
当該ベッド用シーツは、その一方の側部にメッシュ生地で形成されたメッシュ部を備えており、前記ベッドの一方の側部側で前記第１の面ファスナーと前記第２の面ファスナーとの間に前記メッシュ部を挟んだ状態で、前記マットレスの上面を覆うようにして前記ベッドの他方の側部側で前記マットレスと前記床板との間に他方の側部を挟んで用いられることを特徴とするベッド用シーツ。
【請求項４】
前記床板は、その長手方向の少なくとも一部において屈曲可能に構成されており、
前記マットレスは、前記床板の屈曲の程度に追従して屈曲するように構成されている請求項１ないし３のいずれかに記載のベッド用シーツ。
【請求項５】
前記床板は、長手方向に分割され、互いに連結した状態で高さ方向に変位可能な少なくとも２つ以上のセグメント部材からなり、
前記第１の面ファスナーは、各前記セグメント部材の両側部にそれぞれ設けられており、前記第２の面ファスナーは、前記マットレスの前記第１の面ファスナーに対応する位置に設けられている請求項４に記載のベッド用シーツ。
【請求項６】
各前記セグメント部材のうち少なくとも頭部側のセグメント部材は、その両側部に前記第１の面ファスナーを長手方向にスライドさせるスライド手段を有している請求項５に記載のベッド用シーツ。
【請求項７】
前記スライド手段は、一対のレール部と当該レール部をスライド可能に設けられたスライダーとで構成されており、
前記第１の面ファスナーは、前記スライダーの上面に設けられている請求項６に記載のベッド用シーツ。
【請求項８】
ベッドフレームと該ベッドフレームに支持される長尺状の床板とを備えるベッド本体と、
前記床板上に載置されるマットレスと、
前記マットレスの両側面および上面を覆うベッド用シーツとを有し、
前記床板の上面には、その両側部の少なくとも一部に長手方向に沿って形成された第１の面ファスナーが設けられており、
前記マットレスの下面には、その両側部に前記第１の面ファスナーと係合する第２の面ファスナーが設けられており、
前記ベッド用シーツは、その両側部にメッシュ生地で形成された一対のメッシュ部を備えており、前記ベッドの一方の側部側で前記第１の面ファスナーと前記第２の面ファスナーとの間に一方の前記メッシュ部を挟んだ状態で、前記マットレスの上面を覆うようにして前記ベッドの他方の側部側で前記第１の面ファスナーと前記第２の面ファスナーとの間に他方の前記メッシュ部を挟んで用いられることを特徴とするシーツ付きベッド。
【考案の詳細な説明】
【技術分野】
【０００１】
本考案は、ベッドのマットレスを覆うために用いられるベッド用シーツおよび該ベッド用シーツでマットレスが覆われたシーツ付きベッドに関する。
【背景技術】
【０００２】
医療施設、福祉施設、ホテル等に設置されるベッドのベッドメイキングでは、マットレス上に載置されるベッドパッド、マットレスおよびベッドパッドを覆うシーツ（ベッド用シーツ）等の交換が行われる。
【０００３】
ベッド用シーツとしては、一般的に長方形状のシーツが用いられている。リネンサプライ業者にとって、このような長方形状のシーツは、アイロンをかけ易く、また手作業によらずに機械を用いて自動的にたたむことができるという利点を有する。
【０００４】
その一方で、長方形状のシーツは、その寸法（サイズ）が小さいと、マットレスから外れやすいため、通常、ベッド用シーツの縁部がマットレスの下面（裏面）側に十分に巻き込まれるようなサイズに設計されている。すなわち、ベッド用シーツのサイズをマットレスの縦横のサイズよりも相当大きくする必要がある。このようなサイズの大きいベッド用シーツでは、生地の使用量が多いため、その運搬コストおよび洗濯コストが高いという問題がある。さらに、ベッド用シーツのサイズが大きいと、ベッドメイキングの際に、マットレスにベッド用シーツを取り付けるのに時間がかかってしまうという問題もある。
【０００５】
また、医療施設や福祉施設等に設置されるベッドとして、マットレスを支持するベッド本体の床板部分の一部を上下に変位させることにより、ベッド使用者の背中を起こしたり、膝を曲げたりするギャッジアップ機能を有するベッドが広く用いられている。このようなベッドでは、床板を変位させると、マットレスと床板との間に巻き込まれたベッド用シーツの縁部がマットレスの外側に出やすく、ベッド用シーツが簡単にマットレスから外れてしまう。このような問題を解決するため、縁部にゴム紐を通したシーツであって、ゴム紐の弾性力により、マットレスの裏面側をシーツの縁部で包んだ状態で締め付ける立体的なベッド用シーツ（クイックシーツ）が使用されている（例えば、特許文献１参照）。
【０００６】
しかしながら、クイックシーツは、その縁部にゴム紐が通されることにより立体的な形状を有するため、一般的な長方形状のシーツよりも商品価格が高い。また、クリーニングの際に、機械を用いて自動でたたむことが難しく、手作業でたたむ必要があるという問題がある。さらに、繰り返しクリーニングすると、ゴム紐が劣化してしまい、長期間にわたって繰り返し使用することができないという問題がある。
【先行技術文献】
【特許文献】
【０００７】
【特許文献１】特開平１０−２８６１６０号公報
【考案の概要】
【考案が解決しようとする課題】
【０００８】
本考案は、上記従来の問題点を鑑みなされたものであり、その目的は、寸法（サイズ）を抑えながらも、マットレスから外れ難く、洗濯コストの低いベッド用シーツを提供すること、また、かかるベッド用シーツでマットレスが覆われたシーツ付きベッドを提供することにある。
【課題を解決するための手段】
【０００９】
このような目的は以下の（１）〜（８）の本考案により達成される。
（１）  ベッドフレームと該ベッドフレームに支持される長尺状の床板とを備えるベッド本体と、前記床板上に載置されるマットレスとを有し、前記床板の上面には、その両側部の少なくとも一部に長手方向に沿って形成された第１の面ファスナーが設けられ、前記マットレスの下面には、その両側部に前記第１の面ファスナーと係合する第２の面ファスナーが設けられたベッドに用いられるベッド用シーツであって、
当該ベッド用シーツは、その両側部にメッシュ生地で形成された一対のメッシュ部を備えており、前記ベッドの一方の側部側で前記第１の面ファスナーと前記第２の面ファスナーとの間に一方の前記メッシュ部を挟んだ状態で、前記マットレスの上面を覆うようにして前記ベッドの他方の側部側で前記第１の面ファスナーと前記第２の面ファスナーとの間に他方の前記メッシュ部を挟んで用いられることを特徴とするベッド用シーツ。
【００１０】
（２）  前記一対のメッシュ部以外のシーツ生地部領域によって、前記マットレスの両側面および上面が覆われるように構成されている上記（１）に記載のベッド用シーツ。
【００１１】
（３）  ベッドフレームと該ベッドフレームに支持される長尺状の床板とを備えるベッド本体と、前記床板上に載置されるマットレスとを有し、前記床板の上面には、一方の側部の少なくとも一部に長手方向に沿って形成された第１の面ファスナーが設けられ、前記マットレスの下面には、前記第１の面ファスナーと係合する第２の面ファスナーが設けられたベッドに用いられるベッド用シーツであって、
当該ベッド用シーツは、その一方の側部にメッシュ生地で形成されたメッシュ部を備えており、前記ベッドの一方の側部側で前記第１の面ファスナーと前記第２の面ファスナーとの間に前記メッシュ部を挟んだ状態で、前記マットレスの上面を覆うようにして前記ベッドの他方の側部側で前記マットレスと前記床板との間に他方の側部を挟んで用いられることを特徴とするベッド用シーツ。
【００１２】
（４）  前記床板は、その長手方向の少なくとも一部において屈曲可能に構成されており、
前記マットレスは、前記床板の屈曲の程度に追従して屈曲するように構成されている上記（１）ないし（３）のいずれかに記載のベッド用シーツ。
【００１３】
（５）  前記床板は、長手方向に分割され、互いに連結した状態で高さ方向に変位可能な少なくとも２つ以上のセグメント部材からなり、
前記第１の面ファスナーは、各前記セグメント部材の両側部にそれぞれ設けられており、前記第２の面ファスナーは、前記マットレスの前記第１の面ファスナーに対応する位置に設けられている上記（４）に記載のベッド用シーツ。
【００１４】
（６）  各前記セグメント部材のうち少なくとも頭部側のセグメント部材は、その両側部に前記第１の面ファスナーを長手方向にスライドさせるスライド手段を有している上記（５）に記載のベッド用シーツ。
【００１５】
（７）  前記スライド手段は、一対のレール部と当該レール部をスライド可能に設けられたスライダーとで構成されており、
前記第１の面ファスナーは、前記スライダーの上面に設けられている上記（６）に記載のベッド用シーツ。
【００１６】
（８）  ベッドフレームと該ベッドフレームに支持される長尺状の床板とを備えるベッド本体と、
前記床板上に載置されるマットレスと、
前記マットレスの両側面および上面を覆うベッド用シーツとを有し、
前記床板の上面には、その両側部の少なくとも一部に長手方向に沿って形成された第１の面ファスナーが設けられており、
前記マットレスの下面には、その両側部に前記第１の面ファスナーと係合する第２の面ファスナーが設けられており、
前記ベッド用シーツは、その両側部にメッシュ生地で形成された一対のメッシュ部を備えており、前記ベッドの一方の側部側で前記第１の面ファスナーと前記第２の面ファスナーとの間に一方の前記メッシュ部を挟んだ状態で、前記マットレスの上面を覆うようにして前記ベッドの他方の側部側で前記第１の面ファスナーと前記第２の面ファスナーとの間に他方の前記メッシュ部を挟んで用いられることを特徴とするシーツ付きベッド。
【図面の簡単な説明】
【００１７】
【図１】本考案の第１実施形態のシーツ付きベッドを示す斜視図である。
【図２】図１に示すシーツ付きベッドが有するベッド本体の斜視図である。
【図３】図２に示すベッド本体をギャッジアップした状態を示す斜視図である。
【図４】図１に示すシーツ付きベッドが有するマットレスの下面（裏面）を上側にして示す斜視図である。
【図５】図１に示すシーツ付きベッドが有する本考案に係るベッド用シーツの平面図である。
【図６】本考案に係るベッド用シーツの他の構成例を示す平面図である。
【図７】図６に示すベッド用シーツと組み合わせて用いられるマットレスの下面（裏面）を上側にして示す斜視図である。
【図８】本考案の第２実施形態のシーツ付きベッドに係るスライド手段を頭部側の床板部分に取り付けた状態を示す部分斜視図である。
【図９】図９（ａ）は、図８に示すスライド手段の正面断面図であり、図９（ｂ）は、図８に示すスライド手段の側面図である。
【図１０】図８に示すスライド手段の他の構成例を頭部側の床板部分に取り付けた状態を示す部分斜視図である。
【図１１】図１０に示すスライド手段のレールの斜視図である。
【図１２】図１０に示すスライド手段の正面断面図である。
【図１３】図８に示すスライド手段の他の構成例の正面断面図である。
【考案を実施するための形態】
【００１８】
以下、本考案のベッド用シーツおよびシーツ付きベッドを添付図面に示す好適な実施形態に基づいて説明する。
【００１９】
＜第１実施形態＞
まず、本考案のシーツ付きベッドの第１実施形態について説明する。
【００２０】
図１は、本考案の第１実施形態のシーツ付きベッドを示す斜視図であり、図２は、図１に示すシーツ付きベッドが有するベッド本体の斜視図であり、図３は、図２に示すベッド本体をギャッジアップした状態を示す斜視図であり、図４は、図１に示すシーツ付きベッドが有するマットレスの下面（裏面）を上側にして示す斜視図であり、図５は、図１に示すシーツ付きベッドが有する本考案にかかるベッド用シーツの平面図である。
【００２１】
なお、以下の説明では、図１〜図４の上側および図５の紙面手前側を「上」または「上部」といい、図１〜図４の下側および図５の紙面奥側を「下」または「下部」といい、図１〜図５の左側を「頭部側」と言い、図１〜図５の右側を「足部側」という。
【００２２】
本実施形態のシーツ付きベッド１００は、図１に示すように、ベッド本体１０と、ベッド本体１０に支持されるマットレス４０と、マットレス４０の上面および側面を覆うベッド用シーツ１（本考案のベッド用シーツ）とを有している。
【００２３】
以下、各部の構成について説明する。
＜＜ベッド本体１０＞＞
ベッド本体１０は、ベッド利用者の姿勢を変更可能なギャッジアップ機能を有しており、図２に示すように、ベッドフレーム２０と、ベッドフレーム２０に支持される長尺状の床板３０とを有している。
【００２４】
ベッドフレーム２０は、長尺状のベース２１と、ベース２１の頭部側から立設したヘッドボード２２と、ベース２１の足部側から立設したフットボード２３とを備えている。
【００２５】
ヘッドボード２２およびフットボード２３は、ベッド本体１０にマットレス４０を載置した際に、マットレス４０が頭部側または足部側にずれるのを防止し、ベッド利用者の保全に寄与する。なお、ヘッドボード２２およびフットボード２３は、図２に示すような板状の部材の代わりに、パイプ状のヘッドパイプやフットパイプを用いることもできる。また、ベース２１の両側部の頭部側および足部側に計４つのキャスター２１１が取り付けられており、ベッド本体１０（シーツ付きベッド１００）を床面に対して移動可能に支持している。
【００２６】
床板３０は、その長手方向に分割された複数のセグメント部を有しており、本実施形態では、図２に示すように、床板３０は４つのセグメント部を有している。これらのセグメント部は、図３に示すように、ギャッジアップ機能によりベッド利用者の姿勢を変える際に、ベッド利用者の上半身（臀部よりも上側）を持ち上げるセグメント部３１と、臀部を支持するセグメント部３２と、膝を持ち上げるセグメント部３３およびセグメント部３４とを有している。
【００２７】
セグメント部３２は、ベッドフレーム２０上面に固定されており、その頭部側および足部側には、ジョイント部３５およびジョイント部３６が設けられている。
【００２８】
セグメント部３１は、ジョイント部３５を回動中心軸として回動し、また、セグメント部３３は、ジョイント部３６を回動中心軸として回動するように構成されている。かかる構成により、セグメント部３１およびセグメント部３３を、単独、もしくは同時に持ち上げることができる。
【００２９】
また、セグメント部３３とセグメント部３４との間には、ジョイント部３７が設けられており、セグメント部３４は、ジョイント部３７を回動中心軸として、セグメント部３３に対して回動可能に構成されている。セグメント部３４は、その回動に伴い、頭部側の端部が上方向に持ち上がるものの、足部側の端部がベッドフレーム２０の上面に沿って、頭部方向に移動する。このため、ギャッジアップ時には、セグメント部３３とセグメント部３４とが、左右方向（ベッドの幅方向）からの側面視において、くの字状を成すことによって、ベッド利用者の膝を自然に曲げさせることができる。
【００３０】
各セグメント部３１、３２、３３および３４の上面には、その幅方向の両側部（図２および図３中、各セグメント部３１、３２、３３および３４の紙面手前側の側部および紙面奥側の側部）のそれぞれに、長手方向に沿って形成された第１の面ファスナー３１１、３２１、３３１および３４１が設けられている。すなわち、床板３０には、８つの第１の面ファスナーが設けられている。なお、本実施形態では、これらの第１の面ファスナー３１１、３２１、３３１および３４１は、いずれも雄面ファスナーである。
【００３１】
第１の面ファスナー３１１、３２１、３３１および３４１の長さは、特に限定されないが、５〜４０ｃｍ程度であるのが好ましく、１０〜３０ｃｍ程度であるのがより好ましい。また、第１の面ファスナー３１１、３２１、３３１および３４１の幅は、１〜４ｃｍ程度であるのが好ましく、１．５〜２．５ｃｍ程度であるのがより好ましい。
【００３２】
また、セグメント部３４の足部側の上面には、マットレス止め３４２が設けられている。このマットレス止め３４２により、床板３０上に載置されたマットレス４０が足部側にずれるのを防止することができる。
この床板３０上には、マットレス４０が載置されている。
【００３３】
＜＜マットレス４０＞＞
マットレス４０は、床板３０上に載置され、床板３０（ベッド本体１０）に支持されている。
【００３４】
このようなマットレス４０は、ベッド使用者の体重を受けて弾性変形するとともに、各セグメント部３１、３２、３３および３４の変位の程度（床板３０の屈曲の程度）に追従して変形（屈曲）する柔軟性を有している。
【００３５】
このマットレス４０の下面には、図４に示すように、その幅方向の両側部に各セグメント部３１、３２、３３および３４の第１の面ファスナー３１１、３２１、３３１および３４１に対応する位置に、８つの第２の面ファスナー４１を有している。これらの第２の面ファスナー４１は、雌面ファスナーであり、第１の面ファスナー３１１、３２１、３３１および３４１と係合させることにより、マットレス４０が床板３０に固定される。
【００３６】
シーツ付きベッド１００では、床板３０の各セグメント部３１、３２、３３および３４のいずれにも、第２の面ファスナー４１に係合する第１の面ファスナー３１１、３２１、３３１および３４１が設けられている。そのため、各セグメント部３１、３２、３３および３４が複雑な変位をした場合であっても、マットレス４０を各セグメント部３１、３２、３３および３４の変位に合わせて確実に変形させることができる。
【００３７】
なお、各第２の面ファスナー４１の長さおよび幅は、それぞれ、対応する各第１の面ファスナー３１１、３２１、３３１および３４１の長さおよび幅と十分に係合する長さおよび幅を有するように構成されていることが好ましい。
【００３８】
また、マットレス４０として、マットレス本体と、その上面および側面を覆うマットレスカバーとを有する構成のマットレスを用いることもできる。この場合、上述した各第２の面ファスナー４１と同様の雌面ファスナーを、マットレスカバーの各セグメント部３１、３２、３３および３４の第１の面ファスナー３１１、３２１、３３１および３４１に対応する位置に設けるように構成する。かかる構成のマットレスでは、マットレスカバーをマットレス本体から外して洗濯することができるが、各面ファスナーが雌面ファスナーであるため、洗濯時に面ファスナーに糸くず等が付着するのを抑えることができる。
【００３９】
なお、上記の説明では、第１の面ファスナーが雄面ファスナーであり、第２の面ファスナーが雌面ファスナーであると説明したが、逆であってもよい。すなわち、第１の面ファスナーが雌面ファスナーであり、第２の面ファスナーが雄面ファスナーであってもよい。
【００４０】
マットレス４０の上面には、図示しないベッドパッドが載置され、マットレス４０の両側面およびベッドパッドの上面は、ベッド用シーツ１で覆われている。
【００４１】
＜＜ベッド用シーツ１＞＞
ベッド用シーツ１は、図５に示すように、シーツ生地部１１と、シーツ生地部１１の幅方向の両側部に設けられ、メッシュ生地で形成された一対のメッシュ生地部（メッシュ部）１２とを備えている。
【００４２】
シーツ生地部１１を構成するシーツ生地としては、例えば、織物、編物、不織布または織物部分と編物部分とを組み合わせた構成の生地を用いることができるが、編物を用いるのが好ましい。また、このような編物としては、各種緯編地および各種経編地を用いることができるが、特に、経編地であるトリコット地を用いるのが好ましい。シーツ生地部１１としてトリコット地を用いることにより、シーツ生地部１１の幅方向の両側部にメッシュ生地を編み付けてメッシュ生地部１２とすることができる。すなわち、シーツ生地部１１とメッシュ生地部１２とを縫い付ける必要がないため、ベッド用シーツ１を製造する工程が短くなり、製造コストを削減することができる。また、シーツ生地部１１としてトリコット地を用いることにより、ベッド用シーツ１の洗濯後にアイロンがけが不要となる。すなわち、ベッド用シーツ１を洗濯後、乾燥させてから折り畳むだけで、しわのないクリーニングされたベッド用シーツ１を得ることができる。そのため、ベッド用シーツ１のクリーニングにかかるコストを抑えることができる。
【００４３】
なお、シーツ生地部１１を構成する繊維としては、例えば、ポリエステル繊維やポリアミド繊維等の合成繊維、綿、綿と各種合成繊維との混紡繊維等を用いることができるが、ポリエステルまたはポリエステルと綿との混紡繊維が特に好ましい。また、メッシュ生地部１２のメッシュ生地を構成する繊維としては、例えば、ポリエステル繊維、ポリアミド繊維、アクリル繊維、ポリオレフィン繊維、ポリウレタン繊維、ポリイミド繊維等の各種合成繊維を用いることができる。
【００４４】
シーツ付きベッド１００では、まず、図２に示すように、ベッドの床板３０を平らな状態にする。そして、ベッド用シーツ１を、床板３０上に載置されているマットレス４０の上面に広げ、そのメッシュ生地部１２がマットレス４０の幅方向の両側部に垂れるようにする。次に、マットレス４０の片側（図１中紙面手前側）を持ち上げて図１中紙面手前側の床板３０およびマットレス４０の側部に設けられた第１の面ファスナー３１１、３２１、３３１および３４１と第２の面ファスナー４１とを剥がす。そして、ベッド用シーツ１の一対のメッシュ生地部１２のうち、その一方を、剥がした第１の面ファスナー３１１、３２１、３３１および３４１と第２の面ファスナー４１との間に挟む。次に、マットレス４０の反対側（図１中紙面奥側）を持ち上げて図１中紙面奥側の床板３０およびマットレス４０の側部に設けられた第１の面ファスナー３１１、３２１、３３１および３４１と第２の面ファスナー４１とを剥がす。そして、他方のメッシュ生地部１２を、剥がした第１の面ファスナー３１１、３２１、３３１および３４１と第２の面ファスナー４１との間に挟む。このようにして、ベッド用シーツ１はマットレス４０に取り付けられる。
【００４５】
かかる構成では、ベッド用シーツ１の各メッシュ生地部１２は、第１の面ファスナー３１１、３２１、３３１および３４１と第２の面ファスナー４１との間に挟まれることにより、これらの間に確実に固定される。また、第１の面ファスナー３１１、３２１、３３１および３４１と第２の面ファスナー４１との係合により、マットレス４０が床板３０からずれることがない。そのため、床板３０をギャッジアップさせる際に、各メッシュ生地部１２が床板３０とマットレス４０との間から外れてしまうのを確実に防止することができる。すなわち、床板３０をギャッジアップさせる際に、ベッド用シーツ１がマットレス４０からずれるのを確実に防止することができる。
【００４６】
また、ベッド用シーツ１では、シーツ生地部１１の幅（短手方向の長さ）を、マットレス４０の上面の幅と幅方向の両側面の高さとを合わせた長さとほぼ等しくなるように設計する。その上で、各メッシュ生地部１２の幅を、第２の面ファスナー４１の幅と、その第２の面ファスナー４１の設置側におけるマットレス４０の側端から第２の面ファスナー４１までの距離とを合わせた長さとほぼ等しくなるように設計する。言い換えれば、ベッド用シーツ１は、一対のメッシュ生地部１２以外の領域、すなわち、シーツ生地部１１によって、マットレス４０の上面および幅方向の両側面を覆うように構成されている。
【００４７】
かかる構成では、ベッド用シーツ１の幅を、従来の長方形状のベッド用シーツに比べて大幅に短くすることができる。さらに、ベッド用シーツ１は、その両側部（一対のメッシュ生地部１２）が床板３０とマットレス４０との間に確実に固定されているため、長手方向の長さは、マットレスの下面に巻き込むほど長くする必要もない。そのため、本考案のベッド用シーツ１では、そのサイズを必要最低限の大きさとして、生地の材料費、運搬コストおよび洗濯コストを抑えることができる。
【００４８】
また、ベッド用シーツ１のサイズが抑えられることにより、マットレス４０にベッド用シーツ１を短時間で取り付けることができる。さらに、ベッド用シーツ１の一方の側部（一方のメッシュ生地部１２）を固定した状態で他方の側部（他方のメッシュ生地部１２）をマットレス４０に取り付けることができるため、１人でも簡単にベッド用シーツ１をピンと張った状態でマットレス４０に取り付けることができる。
【００４９】
さらに、かかるベッド用シーツ１は、長方形状をなしているため、機械を用いて自動的にたたむことができるという利点もある。
【００５０】
なお、メッシュ生地部１２を形成するメッシュ生地の目のサイズ（目開き）は、特に限定されないが、２〜２０ｍｍ程度であるのが好ましく、３〜１０ｍｍ程度であるのがより好ましい。上記条件を満足することにより、第１の面ファスナー３１１、３２１、３３１および３４１と第２の面ファスナー４１との間にメッシュ生地部１２を挟む際に、メッシュ生地部１２の各目に第１の面ファスナー（雄面ファスナー）のフック部分が確実に挿通される。その結果、ベッド用シーツ１がマットレス４０からずれるのをより確実に防止することができる。
【００５１】
なお、上記の説明では、ベッド本体１０がギャッジアップ機能を有する、すなわち、床板３０が長手方向の一部において屈曲可能に構成されたベッドについて説明したが、本考案はこれに限定されない。例えば、床板が１枚の平坦な板材から構成されたベッド本体を用いたベッド（通常のベッド）であってもよい。
【００５２】
このようなベッドの場合でも、床板上面の幅方向の両側部に上述した第１の面ファスナーを設けるとともに、マットレス下面に第１の面ファスナーと対応する位置に上述した第２の面ファスナーを設ければ、上述したようにしてベッド用シーツ１をマットレスに取り付けることができる。
【００５３】
また、本実施形態では、各第１の面ファスナーが、各セグメント部の幅方向の両側部の一部（図２および図３参照）に設けられているが、本考案はこれに限定されない。例えば、各セグメント部の幅方向の両側部の長手方向全体に沿って形成されていてもよいし、一部のセグメント部に第１の面ファスナーを設けない構成であってもよい。その際に、マットレスの第２の面ファスナーの設置位置は、第１の面ファスナーの設置位置に合わせればよい。かかる構成であっても、前述した本実施形態のシーツ付きベッド１００と同様の効果を得ることができる。
【００５４】
また、本実施形態のシーツ付きベッドとしては、各セグメント部（床板）の幅方向の両側部のうちの一方の側部にのみ第１の面ファスナーを設け、マットレスには、この第１の面ファスナーが設けられた側の側部にのみ第２の面ファスナーを設ける構成としてもよい。言い換えれば、上述したシーツ付きベッド１００において、各セグメント部３１、３２、３３、３４およびマットレス４０の幅方向の両側部に設けられた各面ファスナー（第１の面ファスナーおよび第２の面ファスナー）のうち、いずれか一方の側部側の各面ファスナーを省いた構成としてもよい。
【００５５】
この場合、ベッド用シーツとしては、シーツ生地部の一方の側部のみにメッシュ生地部を備えたシーツを用いる。
【００５６】
このようなシーツ付きベッドでは、マットレスを持ち上げて、一方の側部に設けられた第１の面ファスナーと第２の面ファスナーとを剥がし、その間にベッド用シーツのメッシュ生地部（一方の側部）を挟む。この状態で、シーツ生地部でマットレスの側面および上面を覆い、再度マットレスを持ち上げて、ベッド用シーツの他方の側部をマットレスと床板との間に挟む（挟み込む）ことによって、ベッド用シーツをマットレスに取り付けることができる。
【００５７】
かかる構成であっても、ベッド用シーツのメッシュ生地部（一方の側部）が第１の面ファスナーと第２の面ファスナーとの間に挟まれているため、ベッド用シーツがマットレスからずれるのを防止することができる。また、メッシュ生地部が第１の面ファスナーと第２の面ファスナーとの間に挟まれて固定された状態で、ベッド用シーツをマットレスに覆うことができるため、ベッド用シーツにしわが生じることなく、簡単にベッドメイキングができる。
【００５８】
なお、このような構成のベッド本体およびマットレスを用いる場合には、ベッド用シーツのメッシュ生地部とは反対側の側部を袋状に構成してもよい。このようなベッド用シーツは、一方の側部（メッシュ生地部）が第１の面ファスナーと第２の面ファスナーとの間に固定され、他方の側部（袋状の側部）がマットレスの側部を包み込むため、ベッド用シーツがマットレスからずれるのをより確実に防止することができる。
【００５９】
また、シーツ付きベッドの構成を以下のような構成とすることもできる。
図６は、本考案に係るベッド用シーツの他の構成例を示す平面図であり、図７は、図６に示すベッド用シーツと組み合わせて用いられるマットレスの下面（裏面）を上側にして示す斜視図である。
【００６０】
かかるシーツ付きベッドでは、図６に示すように、ベッド用シーツ１として、シーツ生地部１１の幅方向の両側部に加え、頭部側にもメッシュ生地部１２を備えたものを用いる。
【００６１】
また、図７に示すように、マットレス４０の頭部側に、その両側部に設けられた第２の面ファスナー４１と同様の第２の面ファスナー４１を設ける。また、床板３０（セグメント部３１）の頭部側に、マットレス４０の頭部側の第２の面ファスナー４１に対応する位置に第１の面ファスナーを設ける（図示せず）。
【００６２】
かかる構成でも、上述した図１〜図５に示すシーツ付きベッド１００と同じようにして、ベッド用シーツ１をマットレス４０に取り付けることができる。かかる構成のシーツ付きベッド１００では、幅方向の両側部に加え、頭部側においてもベッド用シーツが第１の面ファスナーと第２の面ファスナーとの間に挟まれて固定される。そのため、ベッド用シーツ１は、その幅方向だけでなく、足部方向へのずれも確実に防止することができる。
【００６３】
さらに、本考案に係るベッド用シーツの他の構成例として、ベッド用シーツ１として、シーツ生地部１１の幅方向の両側部、頭部側に加え、さらに足部側にもメッシュ生地部１２を備えたものを用いることもできる。
【００６４】
かかる構成のベッド用シーツ１を用いる場合には、マットレス４０の頭部側および足部側に、その両側部に設けられた第２の面ファスナー４１と同様の第２の面ファスナー４１を設ける。また、床板３０の頭部側（セグメント部３１の頭部側）および足部側（セグメント部３４の足部側）に、マットレス４０の頭部側および足部側の第２の面ファスナー４１に対応する位置に第１の面ファスナーを設ける（図示せず）。
【００６５】
かかる構成でも、上述した図１〜図５に示すシーツ付きベッド１００と同じようにして、ベッド用シーツ１をマットレス４０に取り付けることができる。かかる構成のシーツ付きベッド１００では、幅方向の両側部、頭部側に加え、足部側においてもベッド用シーツが第１の面ファスナーと第２の面ファスナーとの間に挟まれて固定される。そのため、ベッド用シーツ１は、その幅方向だけでなく、長さ方向（頭部方向および足部方向）へのずれも確実に防止することができる。
【００６６】
＜第２実施形態＞
次に、本考案のシーツ付きベッドの第２実施形態について説明する。
【００６７】
図８は、本考案の第２実施形態のシーツ付きベッドに係るスライド手段を頭部側の床板部分に取り付けた状態を示す部分斜視図であり、図９（ａ）は、図８に示すスライド手段の正面断面図であり、図９（ｂ）は、図８に示すスライド手段の側面図であり、図１０は、図８に示すスライド手段の他の構成例を頭部側の床板部分に取り付けた状態を示す部分斜視図であり、図１１は、図１０に示すスライド手段のレールの斜視図であり、図１２は、図１０に示すスライド手段の正面断面図であり、図１３は、図８に示すスライド手段の他の構成例の正面断面図である。
【００６８】
なお、以下の説明では、図８〜図１３の上側を「上」または「上部」といい、図８〜図１３の下側を「下」または「下部」といい、図８および図１０の紙面左奥側を「頭部側」といい、図８および図１０の紙面右手前側を「足部側」という。
【００６９】
以下、第２実施形態のシーツ付きベッドについて、前記第１実施形態のシーツ付きベッドとの相違点を中心に説明し、同様の事項については、その説明を省略する。
【００７０】
第２実施形態のシーツ付きベッド１００では、床板３０の頭部側のセグメント部３１の構成が異なり、それ以外は、前記第１実施形態のシーツ付きベッド１００と同様である。
【００７１】
以下、頭部側のセグメント部３１の構成について説明する。
図８および図９に示すように、頭部側のセグメント部３１の上面には、その幅方向の両側部のそれぞれに、２つの長尺状のレール部３１２（図９（ａ）参照）がセグメント部３１の長手方向に沿って両面テープや接着剤等により固定されている。
【００７２】
また、各レール部３１２には、その長手方向（頭部側または足部側）にスライド可能な長尺状のスライダー３１３が取り付けられており、スライダー３１３の上面に第１の面ファスナー３１１が設けられている。
【００７３】
図９（ａ）に示すように、各レール部３１２は、断面略Ｔ字状をなしており、セグメント部３１に固定された本体部と、本体部の上端部から幅方向（図９（ａ）中、左右方向）に突出した突出部とを有している。また、スライダー３１３は、断面略コの字状をなし、その上面に第１の面ファスナー３１１が取り付けられており、その幅方向の両側部がレール部３１２の突出部と係合して、レール部３１２の長手方向にスライド可能に取り付けられている（図９（ａ）参照）。すなわち、本実施形態のシーツ付きベッド１００では、レール部３１２およびスライダー３１３が、第１の面ファスナー３１１をベッドの長手方向にスライドさせるためのスライド手段を構成している。
【００７４】
一般的に、ギャッジアップ機能を有するベッドでは、床板をギャッジアップする際に、床板上に設置されたマットレスが床板より頭部方向にずれる（移動する）。逆に、床板を水平な状態に戻す際に、マットレスが足部側に戻る。
【００７５】
本実施形態のシーツ付きベッド１００では、ベッドの床板３０が平らな状態で、スライダー３１３を、レール部３１２の足部側の端部に位置させた状態で、床板３０上にマットレス４０を載置する。そして、前述した第１実施形態と同様にして、ベッド用シーツ１をマットレス４０に取り付ける。
【００７６】
かかるシーツ付きベッド１００では、マットレス４０が頭部側に伸びる際には、マットレス４０の頭部側の第２の面ファスナー４１の移動に追従して、セグメント部３１の第１の面ファスナー３１１が頭部側へとスライドする。また、マットレス４０が足部側に戻る際には、マットレス４０の頭部側の第２の面ファスナー４１の移動に追従して、セグメント部３１の第１の面ファスナー３１１が足部側へとスライドする。このように、セグメント部３１の第１の面ファスナー３１１が、マットレス４０の頭部側の第２の面ファスナー４１の動きに追従してスライドするため、各面ファスナーに挟まれたベッド用シーツ１のメッシュ生地部１２もマットレス４０とともに移動することができる。その結果、マットレス４０が変形した際に、ベッド用シーツ１がずれたり、しわが発生するのをより確実に防止することができる。その結果、ベッド用シーツ１がマットレス４０からずれるのをより確実に防止することができる。
【００７７】
また、上記構成のスライド手段では、スライダー３１３の長手方向の長さをレール部３１２よりも長く設計することができるため、スライダー３１３上に設けられる第１の面ファスナー３１１の長さを長くすることができる。これにより、マットレス４０が変形した際にも、ベッド用シーツ１のメッシュ生地部１２が、第１の面ファスナー３１１と第２の面ファスナー４１との間でより確実に固定され、ベッド用シーツ１のずれ、しわの発生をさらに確実に防止することができる。
【００７８】
なお、スライダー３１３の長さ（長手方向の長さ）は、特に限定されないが、１０〜７０ｃｍ程度であるのが好ましく、２０〜５０ｃｍ程度であるのがより好ましい。各レール部３１２の長さは、スライダー３１３の長さから、必要なスライドの長さ、言い換えれば、スライダー３１３がレール部３１２をスライドする距離（１０〜２０ｃｍ程度）を差し引いた長さに設定するのが好ましい。これにより、第１の面ファスナー３１１をマットレス４０の動きに合わせて確実にスライドさせることができる。
【００７９】
なお、本実施形態では、スライド手段を、図１０ないし図１２に示すようなレール部３１２とスライダー３１３とで構成することもできる。
【００８０】
図１１および図１２に示すように、各レール部３１２は、断面略Ｃ字状をなしており、その長手方向に空洞が形成されている。また、スライダー３１３は、断面略Ｈ字状をなしており、その上面に第１の面ファスナー３１１が設けられ、下側の片部がレール部３１２の空洞内を頭部側または足部側にスライドするように構成されている（図１０参照）。かかる構成のスライド手段を用いる場合には、ベッドの床板３０を平らな状態にして、その上にマットレス４０を載置する際に、スライダー３１３を、レール部３１２の足部側の端部に位置させる（図１０参照）。このようなスライド手段を用いた場合でも、前述した本実施形態のシーツ付きベッドと同様の作用・効果を得ることができる。
【００８１】
さらに、スライド手段を、図１３に示すような構成とすることもできる。
図１３に示すスライド手段は、セグメント部３１の幅方向の両側部のそれぞれに、厚さ方向に貫通し、かつ、その長手方向に切り欠かれた切欠部と、この切欠部に沿ってスライド可能なスライダー３１３とから構成される。なお、このスライダー３１３は、図１２に示すスライダー３１３と同様の構成を有する。
【００８２】
かかる構成のスライド手段では、レール部を設ける代わりに、セグメント部３１に上述したような切欠部を形成し、スライダー３１３の下側の片部が、セグメント部３１の下側で頭部側または足部側にスライドするように構成されている。このように、あらかじめベッド（セグメント部３１）に切欠部を形成しておけば、この切欠部にスライダー３１３を直接取り付けるだけで、上述したような本実施形態のシーツ付きベッドと同様の効果を得ることができる。したがって、かかる構成のスライド手段では、レール部をセグメント部３１に取り付ける手間を省くことができ、スライド手段のコスト削減を図ることができるという利点がある。
【００８３】
なお、上記の説明では、床板３０を構成する各セグメント部３１、３２、３３および３４のうち、頭部側のセグメント部３１にスライド手段（レール部３１２およびスライダー３１３）を設けているが、本考案はこれに限定されない。例えば、その他の各セグメント部３２、３３および３４のうちのいずれか、または全てに、セグメント部３１に設けたスライド手段と同様のスライド手段を設けてもよい。このように、マットレス４０の第２の面ファスナー４１に追従してスライドする第１の面ファスナーの数を多くすることにより、ベッド用シーツ１のずれや、しわの発生をより確実に防止することができる。
【００８４】
かかる第２実施形態のシーツ付きベッド１００によっても、前記第１実施形態のシーツ付きベッド１００と同様の作用・効果を生じる。
【００８５】
以上、本考案のベッド用シーツおよびシーツ付きベッドを図示の実施形態に基づいて説明したが、本考案は、これに限定されるものではなく、各構成は、同様の機能を発揮し得る任意のものと置換することができ、あるいは、任意の構成のものを付加することができる。
【００８６】
例えば、本考案では、前記第１および第２実施形態の任意の構成を組み合わせることもできる。
【符号の説明】
【００８７】
１…ベッド用シーツ  １０…ベッド本体  １１…シーツ生地部  １２…メッシュ生地部  ２０…ベッドフレーム  ２１…ベース  ２１１…キャスター  ２２…ヘッドボード  ２３…フットボード  ３０…床板  ３１、３２、３３、３４…セグメント部  ３１１、３２１、３３１、３４１…第１の面ファスナー  ３１２…レール部  ３１３…スライダー  ３４２…マットレス止め  ３５、３６、３７…ジョイント部  ４０…マットレス  ４１…第２の面ファスナー  １００…シーツ付きベッド
【図１】
0003188960.tif 000003
【図２】
0003188960.tif 000004
【図３】
0003188960.tif 000005
【図４】
0003188960.tif 000006
【図５】
0003188960.tif 000007
【図６】
0003188960.tif 000008
【図７】
0003188960.tif 000009
【図８】
0003188960.tif 000010
【図９】
0003188960.tif 000011
【図１０】
0003188960.tif 000012
【図１１】
0003188960.tif 000013
【図１２】
0003188960.tif 000014
【図１３】
0003188960.tif 000015